(57)【要約】【課題】動物用トイレを清掃する手間を低減できる動物用トイレを提供する。【解決手段】動物用トイレ１００は、トレー部２１０と、流動部３０とを備える。トレー部２１０は、複数の粒体ＧＲを収容する。流動部３０は、複数の粒体ＧＲを流動させる流動部３０は、供給部３１を含む。供給部３１は、複数の粒体ＧＲに気体を供給する。供給部３１は、トレー部２１０の底部２１１側から複数の粒体ＧＲに向けて気体を供給する。複数の粒体ＧＲは、粒体部ＧＲＢを形成する。供給部３１は、粒体部ＧＲＢに向けて気体を供給する。気体が供給されている粒体部ＧＲＢの表面ＧＲＳの高さは、気体が供給されていない粒体部ＧＲＢの表面ＧＲＳの高さよりも高い。【選択図】図３
2020198799.tif 000002
【特許請求の範囲】
【請求項１】
複数の粒体を収容するトレー部と、
前記複数の粒体を流動させる流動部と
を備える、動物用トイレ。
【請求項２】
前記流動部は、前記複数の粒体に気体を供給する供給部を含む、請求項１に記載の動物用トイレ。
【請求項３】
前記供給部は、前記トレー部の底側から前記複数の粒体に向けて前記気体を供給する、請求項２に記載の動物用トイレ。
【請求項４】
前記複数の粒体は、粒体部を形成し、
前記供給部は、前記粒体部に向けて前記気体を供給し、
前記気体が供給されている前記粒体部の表面の高さは、前記気体が供給されていない前記粒体部の前記表面の高さよりも高い、請求項２又は請求項３に記載の動物用トイレ。
【請求項５】
前記粒体と共に動物の排泄物を回収する回収部を更に備え、
前記トレー部は、底部を含み、
前記底部は、開口を有し、
前記回収部は、
前記開口の下方に位置し、前記排泄物を収容する収容部と、
前記開口を開閉する開閉部と
を含む、請求項３又は請求項４に記載の動物用トイレ。
【請求項６】
前記流動部は、前記トレー部を振動させる振動部を更に含む、請求項５に記載の動物用トイレ。
【請求項７】
前記トレー部の前記底部は斜め下方に傾斜する傾斜部をする、請求項６に記載の動物用トイレ。
【発明の詳細な説明】
【技術分野】
【０００１】
本発明は、動物用トイレに関する。
【背景技術】
【０００２】
特許文献１に記載のペット用トイレは、粒状体収容部を備える。粒状体収容部は、多数の粒状体が収容される。多数の粒状体が収容された粒状体収容部は、ペットの排泄物を受ける。粒状体はペットの排泄物に付着する。特許文献１に記載のペット用トイレによれば、排泄物と排泄物に付着した粒状体とを粒状体収容部から取り出して、トイレを清掃できる。
【先行技術文献】
【特許文献】
【０００３】
【特許文献１】特開２００５−１１０７００号公報
【発明の概要】
【発明が解決しようとする課題】
【０００４】
しかしながら、粒状体収容部に収容された粒状体の上に排泄物が残っている場合、ペットがペット用トイレで排泄をしないことがある。したがって、ペット用トイレでの排泄をペットに促すように、ペットがペット用トイレで排泄する度に、ユーザーはペット用トイレを清掃する手間が発生していた。
【０００５】
本発明は上記課題に鑑みてなされたものであり、動物用トイレで動物が排泄する度に、動物用トイレを清掃する手間を低減できる動物用トイレを提供することを目的とする。
【課題を解決するための手段】
【０００６】
本発明に係る動物用トイレは、トレー部と、流動部とを備える。前記トレー部は、複数の粒体を収容する。前記流動部は、前記複数の粒体を流動させる。
【発明の効果】
【０００７】
本発明の動物用トイレによれば、動物用トイレで動物が排泄する度に、動物用トイレを清掃する手間を低減できる。
【図面の簡単な説明】
【０００８】
【図１】本発明の実施形態に係る動物用トイレの構成を示す図である。
【図２】図１に示す動物用トイレのＩＩ−ＩＩ線に沿った断面を示す図である。
【図３】図２に示す動物用トイレの別の図を示す。
【図４】図３に示す動物用トイレの別の図である。
【図５】図４に示す動物用トイレの別の図である。
【発明を実施するための形態】
【０００９】
以下、本発明の実施形態について、図面を参照しながら説明する。なお、図中、同一又は相当部分については同一の参照符号を付して説明を繰り返さない。また、本発明の実施形態において、Ｘ軸、Ｙ軸、及びＺ軸は互いに直交し、Ｘ軸及びＹ軸は水平方向に平行であり、Ｚ軸は鉛直方向に平行である。
【００１０】
まず、図１を参照して、本発明の実施形態１に係る動物用トイレ１００の構成について説明する。図１は、動物用トイレ１００の構成を示す図である。図１に示すように、動物用トイレ１００は、カバー部１０とキャビネット２０とを備える。
【００１１】
カバー部１０は、キャビネット２０の上方を覆う。以下、本明細書では、「上」は、例えば、図１に示すＺ軸に沿う方向であり、キャビネット２０からカバー部１０に向かう方向を示す。同様に、「下」は、Ｚ軸に沿う方向であり、カバー部１０からキャビネット２０に向かう方向である。カバー部１０は、キャビネット２０の上方を覆うため、キャビネット２０で発生した臭気をカバー部１０で留めることができる。この結果、臭気の拡散を抑制できる。また、カバー部１０は、キャビネット２０の上方空間を囲んでもよい。上方空間は、キャビネット２０の上方に位置する空間である。
【００１２】
カバー部１０は、内壁面１２２と外壁面１２３とを有する。内壁面１２２は、カバー部１０の内部の壁面を示す。外壁面１２３は、カバー部１０の外部の壁面を示す。カバー部１０は、フランジ部１２５と、天板１２６と、側壁１２８とを有する。
【００１３】
天板１２６は、キャビネット２０の上方を覆う。天板１２６は、キャビネット２０から上方向に離間する。天板１２６は、キャビネット２０と対向する。具体的には、天板１２６は、キャビネット２０から離間した状態でキャビネット２０と対向する。
【００１４】
側壁１２８は、キャビネット２０の上方空間を側方から覆う。側壁１２８は、天板１２６から延設される。側壁１２８は、出入口１２４を有する。出入口１２４は、例えば、貫通孔である。出入口１２４は、動物が動物用トイレ１００に出入りするために利用される。
【００１５】
フランジ部１２５は、出入口１２４に接近する動物の体の一部を支持する。動物は、例えば、フランジ部１２５に足をかけて出入口１２４を通過し、キャビネット２０に到達する。フランジ部１２５は、キャビネット２０と当接する。
【００１６】
フランジ部１２５は、固定部（図示せず）を有する。固定部は、フランジ部１２５とキャビネット２０とが当接した状態でフランジ部１２５とキャビネット２０とを固定する。固定部の固定を解除することで、カバー部１０とキャビネット２０とが分離する。したがって、カバー部１０とキャビネット２０とが分離できるので、キャビネット２０をメンテナンスする際の作業性が向上する。
【００１７】
キャビネット２０は、動物を支持する。キャビネット２０は、例えば、動物を載置する台である。キャビネット２０は、動物の排泄物を受ける。動物は、例えば、猫である。
【００１８】
次に、図１と図２とを参照して、動物用トイレ１００の構成について、更に詳しく説明する。図２は、図１に示す動物用トイレ１００のＩＩ−ＩＩ線に沿った断面を示す図である。図２では、動物用トイレ１００を第１方向から見ている。第１方向は、出入口１２４側から動物用トイレ１００を見た方向と水平に交差する方向である。また、図２では、カバー部１０とキャビネット２０とは固定部によって固定される。また、図２には、キャビネット２０に動物の排泄物ＥＭが位置する。
【００１９】
キャビネット２０は、筐体２１と、トレー部２１０と、流動部３０とを有する。
【００２０】
筐体２１は、トレー部２１０と流動部３０とを収容する。筐体２１は、内部が中空になっている。
【００２１】
トレー部２１０は、複数の粒体ＧＲを収容する。複数の粒体ＧＲは、動物の排泄物ＥＭを受ける。複数の粒体ＧＲは、例えば猫砂である。猫砂は、動物の排泄物ＥＭの周りに付着する。動物の排泄物ＥＭは、例えば、動物の糞である。なお、複数の粒体ＧＲは、木材のチップであってもよい。
【００２２】
流動部３０は、複数の粒体ＧＲを流動させる。粒体ＧＲを流動することで、少なくとも一部の粒体ＧＲと粒体ＧＲとが互いに干渉しない状態となる。したがって、力が加えられる方向に粒体ＧＲは容易に移動する。つまり、粒体ＧＲの上に位置する排泄物ＥＭは、自重で重力が作用する方向に移動する。この結果、排泄物ＥＭは粒体ＧＲの下方に移動する。
【００２３】
一般的に、動物が動物用トイレに排泄した場合、ユーザーは、排泄物と排泄物に付着した粒体とをトレー部から取り出して、動物用トイレを清掃する。動物は、粒体の表面に排泄物が残っている場合、動物用トイレで排泄しないことがある。したがって、動物が動物用トイレで排泄する度に、ユーザーは動物用トイレを清掃していた。
【００２４】
本実施形態の流動部３０は、複数の粒体ＧＲを流動させる。したがって、粒体ＧＲの表面ＧＲＳに位置する排泄物ＥＭは、粒体ＧＲの表面ＧＲＳから下方に移動する。この結果、動物が動物用トイレ１００で排泄をしなくなることを抑制し、ユーザーが動物用トイレ１００を清掃する手間を抑制できる。
【００２５】
引き続き図２を参照して、動物用トイレ１００を詳しく説明する。
【００２６】
図２に示すキャビネット２０は、支持部２２０を更に有する。支持部２２０は、トレー部２１０を支持する。具体的には、支持部２２０は、トレー部２１０を支持して、トレー部２１０と支持部２２０とが当接した状態で固定する。支持部２２０は、トレー部２１０の下方に位置する。支持部２２０は、トレー部２１０の下方空間を覆う。下方空間は、トレー部２１０と支持部２２０との間に位置する空間である。
【００２７】
支持部２２０は、貫通孔２２２と、シール部材とを有する。貫通孔２２２は、筐体２１と支持部２２０の内部空間とを連通する。内部空間は、支持部２２０と筐体２１との間に位置する空間である。シール部材は、支持部２２０とトレー部２１０との隙間を塞ぐ。シール部材は、支持部２２０とトレー部２１０との当接部分に位置する。シール部材は、支持部２２０とトレー部２１０とが当接する際に弾性変形し、支持部２２０とトレー部２１０との隙間を塞ぐ。この結果、支持部２２０とトレー部２１０との間の内部空間から気体が外部に漏れることを抑制できる。
【００２８】
また、図２に示すトレー部２１０は、凹状に形成される。トレー部２１０は、底部２１１を有する。底部２１１は、複数の貫通孔２１２を有する。複数の貫通孔２１２は、支持部２２０の内部空間と底部２１１とを連通する。
【００２９】
また、本実施形態の流動部３０は、供給部３１を含む。
【００３０】
供給部３１は、気体を供給する。供給部３１は、例えば。ブロアーである。供給部３１は、吸気口と、圧縮機３１１と、排気口３１２とを有する。吸気口は、気体を吸気する。圧縮機３１１は、吸気口から吸気した気体を圧縮する。排気口３１２は、圧縮機３１１が圧縮した気体を排出する。排気口３１２は、支持部２２０の貫通孔２２２に挿通される。したがって、気体は、支持部２２０とトレー部２１０との間の内部空間に排出される。
【００３１】
また、供給部３１は、複数の粒体ＧＲに気体を供給する。トレー部２１０に収容される複数の粒体ＧＲに気体を供給することで、隣り合う粒体ＧＲと粒体ＧＲとの間に気体が位置する。したがって、少なくとも一部の粒体ＧＲと粒体ＧＲとが干渉しない状態となる。この結果、粒体ＧＲを容易に移動できる。
【００３２】
また、供給部３１は、トレー部２１０の底部２１１側から複数の粒体ＧＲに向けて気体を供給する。トレー部２１０の底部２１１側に気体を供給することで、重力が作用する方向と逆の方向に作用する力を加えることができる。したがって、粒体ＧＲが、重力によって押さえつけられた状態となることを抑制できる。この結果、粒体ＧＲが容易に移動する。
【００３３】
次に、図２と図３とを参照して、排泄物ＥＭをトレー部２１０の底部２１１に移動させる処理を説明する。図３は、図２に示す動物用トイレ１００の別の図を示す。図３に示す排泄物ＥＭは、トレー部２１０の底部２１１に位置する。
【００３４】
図２と図３とに示すように、複数の粒体ＧＲは、粒体部ＧＲＢを形成する。粒体部ＧＲＢは、複数の粒体ＧＲを含む。
【００３５】
供給部３１は、粒体部ＧＲＢにむけて気体を供給する。図３に示すように、気体が供給されている粒体部ＧＲＢの表面ＧＲＳの高さＨ２は、図２に示す気体が供給されていない粒体部ＧＲＢの表面ＧＲＳの高さＨ１よりも高い。トレー部２１０の底部２１１側に気体を供給することで、重力が作用する方向と逆の方向に作用する力を加えることができる。したがって、粒体ＧＲが、重力によって押さえつけられた状態となることを抑制する。つまり、気体が粒体ＧＲを浮遊させるため、粒体部ＧＲＢの表面ＧＲＳの高さが高くなる。この結果、粒体ＧＲが容易に移動する。
【００３６】
例えば、図２に示すように、トレー部２１０の粒体部ＧＲＢの表面ＧＲＳに排泄物ＥＭが載っている状態で、供給部３１は、粒体部ＧＲＢに向けて気体を供給する。供給部３１が供給する気体は、排気口３１２によって支持部２２０の内部空間に排出される。供給部３１が供給する気体は、流れｆ１の方向に排出される。流れｆ１は、排気口３１２から貫通孔２１２に向かう方向である。そして、支持部２２０の内部空間に排出された気体は、支持部２２０の内部空間に充満する。
【００３７】
そして、気体は、支持部２２０の内部空間から複数の貫通孔２１２を介して支持部２２０の外部へ移動する。気体は、流れＦ２の方向に移動する。流れＦ２は、底部２１１から粒体部ＧＲＢの表面ＧＲＳに向かう方向である。具体的には、気体は、支持部２２０の貫通孔２１２を介して、支持部２２０の内部空間から粒体部ＧＲＢに向けて移動する。この結果、供給部３１から粒体部ＧＲＢに気体が供給される。また、支持部２２０の内部空間に気体を充満させてから、粒体部ＧＲＢに気体を供給するため、粒体部ＧＲＢに一定量の気体を安定して供給できる。
【００３８】
そして、気体はトレー部２１０の底部２１１から粒体部ＧＲＢの表面ＧＲＳに移動する。具体的には、気体は、互いに隣り合う粒体ＧＲと粒体ＧＲとの間を移動する。互いに隣り合う粒体ＧＲと粒体ＧＲとの間に気体が位置することで、粒体ＧＲと粒体ＧＲとが干渉しない状態となる。
【００３９】
また、底部２１１から粒体部ＧＲＢの表面ＧＲＳに向かって、気体が粒体ＧＲと粒体ＧＲとの間を移動する際に、気体は粒体ＧＲを浮遊させる。気体が粒体ＧＲを浮遊させるため、図３に示す粒体部ＧＲＢの表面ＧＲＳの高さＨ２は、図２に示す粒体部ＧＲＢの表面ＧＲＳの高さＨ１よりも高くなる。この結果、粒体部ＧＲＢは流動化する。つまり、複数の粒体ＧＲは、懸濁浮遊した状態となる。そして、複数の粒体ＧＲを容易に移動させることが可能となり、複数の粒体ＧＲが液体のように流れ動くようになる。なお、供給部３１が粒体部ＧＲＢに気体を供給し続けて、粒体ＧＲが浮遊した状態を維持してもよい。また、粒体部ＧＲＢの表面ＧＲＳに到達した気体は大気に放出される。
【００４０】
また、粒体部ＧＲＢが流動化する場合、図２に示す排泄物ＥＭは、図３に示す排泄物ＥＭの位置に移動する。具体的には、排泄物ＥＭは粒体部ＧＲＢの表面ＧＲＳから底部２１１に向けて移動する。排泄物ＥＭの重量は、粒体ＧＲの重量よりも大きい。また、供給部３１が供給する気体が発生させる浮力は、粒体ＧＲの重量と略一致する。一方、供給部３１が供給する気体が発生させる浮力は、排泄物ＥＭの重量よりも小さい。したがって、排泄物ＥＭは、自重で粒体部ＧＲＢの表面ＧＲＳから底部２１１に向けて移動する。したがって、粒体部ＧＲＢの表面ＧＲＳに排泄物ＥＭが位置することを抑制できる。この結果、動物が動物用トイレ１００で排泄をしなくなることを抑制し、ユーザーが動物用トイレ１００を清掃する手間を抑制できる。
【００４１】
また、本実施形態の流動部３０は、振動部３５を更に有する。振動部３５は、トレー部２１０を振動させる。振動部３５は、トレー部２１０を振動させることで、粒体部ＧＲＢを振動させる。粒体部ＧＲＢを振動させることで、粒体部ＧＲＢの表面ＧＲＳの排泄物ＥＭをトレー部２１０の底部２１１に移動させる。
【００４２】
例えば、図２に示すように、トレー部２１０の粒体部ＧＲＢの表面ＧＲＳに排泄物ＥＭが位置する状態で、振動部３５は、トレー部２１０を振動させる。そして、トレー部２１０の振動が粒体部ＧＲＢに伝わる。粒体部ＧＲＢを振動させることで、粒体部ＧＲＢの粒体ＧＲは、粒体ＧＲと粒体ＧＲとが干渉する状態と粒体ＧＲと粒体ＧＲとが干渉しない状態とを繰り返す。そして、排泄物ＥＭは、粒体ＧＲと粒体ＧＲとが干渉しない状態となったタイミングで粒体部ＧＲＢの表面ＧＲＳからトレー部２１０の底部２１１に向かって移動する。更に、振動部３５はトレー部２１０を振動させ続ける。この結果、排泄物ＥＭは、トレー部２１０の底部２１１に到達する。
【００４３】
また、本実施形態の振動部３５は、供給部３１が粒体部ＧＲＢに気体を供給する際に、トレー部２１０を振動させてもよい。したがって、排泄物ＥＭが容易にトレー部２１０の底部２１１に到達する。この結果、排泄物ＥＭをトレー部２１０の底部２１１に効率的に移動させることができる。
【００４４】
次に、図３〜図５を参照して動物用トイレ１００の構成を更に詳しく説明する。図４は、図３に示す動物用トイレ１００の別の図である。図５は、図４に示す動物用トイレ１００の別の図である。図４に示すように、トレー部２１０の底部２１１は、開口２１３を有する。開口２１３は、底部２１１の一部を開放する。
【００４５】
図４に示す動物用トイレ１００は、回収部２５０を更に備える。回収部２５０は、粒体ＧＲと共に動物の排泄物ＥＭを回収する。回収部２５０は、収容部２５１と、開閉部２５２とを有する。
【００４６】
収容部２５１は、排泄物ＥＭを収容する。収容部２５１は、トレー部２１０の底部２１１の下方に位置する。具体的には、収容部２５１は、開口２１３の下方に位置する。また、収容部２５１は、排出トレー２５１ａを収容する。収容部２５１は、凹状である。
【００４７】
排出トレー２５１ａは、排泄物ＥＭを粒体ＧＲとともに収容する。具体的には、排出トレー２５１ａは、トレー部２１０の底部２１１から落ちてきた排泄物ＥＭと粒体ＧＲとを収容する。
【００４８】
開閉部２５２は、開口２１３を開閉する。具体的には、開閉部２５２は開口２１３を開放する。開閉部２５２が開口２１３を開放することで、トレー部２１０と収容部２５１とは連通する。底部２１１と収容部２５１とが連通することで、粒体ＧＲが収容部２５１に流入する。更に、収容部２５１には、粒体ＧＲとともに排泄物ＥＭも流入する。また、開閉部２５２は、開口２１３を閉塞する。開閉部２５２が開口２１３を閉塞することで、トレー部２１０と収容部２５１との連通を遮断する。底部２１１と収容部２５１との連通を遮断することで、収容部２５１に粒体ＧＲが流入しない。
【００４９】
開閉部２５２は、モーター２５３と、ギア２５４と、蓋２５５と、ラック２５６とを有する。
【００５０】
モーター２５３は、ギア２５４を回転させる。具体的には、モーター２５３は、ギア２５４を正回転又は逆回転させる。ギア２５４は、ラック２５６に噛み合う。ギア２５４がラック２５６に噛み合うことで、ギア２５４の回転に応じて、ラック２５６と共に蓋２５５が移動する。蓋２５５は、底部２１１の開口２１３を開閉する。ラック２５６は、ギア２５４の駆動力を受ける。
【００５１】
例えば、モーター２５３を駆動させてギア２５４を正回転させる場合、蓋２５５は、図３に示す蓋２５５の位置から図４に示す蓋２５５の位置まで移動する。つまり、開閉部２５２は、閉塞された状態の開口２１３を開放する。また、モーター２５３を駆動させてギア２５４を逆回転させる場合、蓋２５５は、図４に示す蓋２５５の位置から図５に示す蓋２５５の位置まで移動する。つまり、開閉部２５２は、開放された開口２１３を閉塞する。
【００５２】
例えば、開閉部２５２は、閉塞された状態の開口２１３を開放する。具体的には、図３に示す蓋２５５の位置から図４に示す蓋２５５の位置まで蓋２５５を移動することで、底部２１１の開口２１３が開放される。そして、収容部２５１には、粒体ＧＲが流入する。また、収容部２５１の排出トレー２５１ａには、図４に示すように粒体ＧＲと排泄物ＥＭとが流入する。したがって、トレー部２１０に排泄物ＥＭが無い状態とすることができる。
【００５３】
また、開閉部２５２は、開放された開口２１３を閉塞する。具体的には、図４に示す蓋２５５の位置から図５に示す蓋２５５の位置まで蓋２５５を移動させることで、粒体ＧＲが排出トレー２５１ａに流入することを抑制できる。例えば、図４に示すように排出トレー２５１ａに排泄物ＥＭと粒体ＧＲとが位置する状態で、図４に示す蓋２５５の位置から図５に示す蓋２５５の位置まで蓋２５５を移動する。蓋２５５によって、開口２１３が閉塞され、排出トレー２５１ａに粒体ＧＲが流入しない。この結果、排出トレー２５１ａから排泄物ＥＭを取り出すときに、粒体ＧＲが排出トレー２５１ａに落ちてくることを抑制できる。
【００５４】
また、本実施形態の底部２１１は、傾斜部２１１ａを有する。傾斜部２１１ａは、斜め下方に傾斜する。傾斜部２１１ａは開口２１３に向けて斜め下方に傾斜する。したがって、底部２１１は、すり鉢状になる。この結果、傾斜部２１１ａは、排泄物ＥＭを回収部２５０に容易に案内できる。
【００５５】
また、排泄物ＥＭが傾斜部２１１ａに位置する場合、振動部３５は、トレー部２１０を振動させてもよい。したがって、振動によって排泄物ＥＭが傾斜を下って底部２１１の開口２１３に到達するように、排泄物ＥＭを回収部２５０に案内できる。この結果、排泄物ＥＭの回収を補助できる。
【００５６】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００５７】
（１）本実施形態の複数の粒体ＧＲの粒の直径はそれぞれ異なってもよい。つまり、粒体ＧＲは、粒の直径が均一でない。粒体ＧＲは、粒の直径が均一である粒体と比較して、粒体ＧＲは流動性が低い。また、粒の直径が均一である粒体と比較して、粒体ＧＲは安息角が大きくなる。安息角は、例えば、粒体ＧＲを積み上げてできた傾斜と水平面との角度である。粒の直径が異なる粒体ＧＲが含まれる粒体部ＧＲＢは、粒の直径が均一な粒体を含む粒体部と比較して、粒体ＧＲが気体を保持しやすい。したがって、粒体部ＧＲＢの流動化が容易となる。
【００５８】
（２）本実施形態の供給部３１は、気体を支持部２２０の内部空間に排出し、トレー部２１０の貫通孔２２２から粒体部ＧＲＢに気体を供給したが、供給部３１の排気口３１２と貫通孔２１２とをホースで連結し、気体を粒体部ＧＲＢに供給してもよい。供給部３１の排気口３１２と貫通孔２１２とをホースで連結しても、粒体部ＧＲＢを流動化することができる。
【００５９】
（３）本実施形態の流動部３０は、検知部を更に有してもよい。検知部は、動物を検知する。動物を検知する場合、流動部３０は粒体部ＧＲＢを流動させない。また、動物を検知しない場合、流動部３０は粒体部ＧＲＢを流動させる。したがって、動物が動物用トイレ１００にいる場合、流動部３０は粒体部ＧＲＢを流動させない。また、動物が動物用トイレ１００にいない場合、流動部３０は粒体部ＧＲＢを流動させる。つまり、動物が動物用トイレ１００で排泄した後に、粒体部ＧＲＢが流動し、排泄物ＥＭがトレー部２１０の底部２１１に位置する。更に、底部２１１に位置する排泄物ＥＭは、回収部２５０に回収される。この結果、動物用トイレ１００の清掃が容易となる。
【００６０】
（４）本実施形態の支持部２２０は、開口と蓋とを有してもよい。開口と蓋とは、支持部２２０の側面に位置する。開口は、支持部２２０の内部空間と筐体２１の内部空間とを連通する。蓋は開口を開閉する。具体的には、蓋は開口を開放する。蓋が開口を開放することで、ユーザーは、支持部２２０の内部空間にアクセスできる。ユーザーは、収容部２５１から排出トレー２５１ａを取り外すことができる。そして、ユーザーは収容部２５１から取り外した排出トレー２５１ａを清掃できる。また、筐体２１は、蓋にアクセスするための貫通孔を有してもよい。したがって、排出トレー２５１ａを清掃する際に、キャビネット２０からカバー部１０を取り外し、更にキャビネット２０からトレー部２１０を取り外す手間を低減できる。この結果、排出トレー２５１ａを清掃する際の手間を低減できる。
【産業上の利用可能性】
【００６１】
本発明は、動物用トイレの分野に利用可能である。
【符号の説明】
【００６２】
１０      カバー部
２０      キャビネット
３０      流動部
３１      供給部
３５      振動部
１００    動物用トイレ
２１０    トレー部
２１１    底部
２１１ａ  傾斜部
２１３    開口
２５０    回収部
２５１    収容部
２５２    開閉部
ＧＲ      粒体
ＧＲＢ    粒体部
ＧＲＳ    表面
Ｈ１      高さ
Ｈ２      高さ
【図１】
2020198799.tif 000003
【図２】
2020198799.tif 000004
【図３】
2020198799.tif 000005
【図４】
2020198799.tif 000006
【図５】
2020198799.tif 000007